(57)【要約】      （修正有）【課題】デッキプレートを受け部材を介して木製横架材に支持させるにあたり、前記受け部材の構成に工夫を施すことにより、施工性、経済性、および取扱性に優れた木造建物の床組構造を提供する。【解決手段】山部と谷部２２とが傾斜部を介して交互に連なり略台形の波形断面に屈曲形成されたデッキプレート２を、受け部材１を介して木製横架材３に支持させてなる木造建物の床組構造であり、前記受け部材１は、前記木製横架材３の上面に載る上フランジ部１１と、同側面に沿って垂下するウエブ部１２と、前記デッキプレート２の端部の谷部２２を支持する下フランジ部１３とで断面略Ｚ字状に形成され、前記木製横架材３の軸方向に間隔をあけて複数設けられ前記デッキプレート２を支持する構造である。【選択図】図２
2020165293.tif 000002
【特許請求の範囲】
【請求項１】
山部と谷部とが傾斜部を介して交互に連なり略台形の波形断面に屈曲形成されたデッキプレートを、受け部材を介して木製横架材に支持させてなる木造建物の床組構造であって、
前記受け部材は、前記木製横架材の上面に載る上フランジ部と、同側面に沿って垂下するウエブ部と、前記デッキプレートの端部の谷部を支持する下フランジ部とで断面略Ｚ字状に形成され、前記木製横架材の軸方向に間隔をあけて複数設けられ前記デッキプレートを支持することを特徴とする、木造建物の床組構造。
【請求項２】
前記木製横架材は、その上面に前記受け部材の上フランジ部を位置決めするための切欠き凹部が形成されていることを特徴とする、請求項１に記載した木造建物の床組構造。
【請求項３】
前記木製横架材は、その側面に前記受け部材のウエブ部を位置決めするための切欠き凹部が形成されていることを特徴とする、請求項１又は２に記載した木造建物の床組構造。
【請求項４】
前記複数の受け部材の下フランジ部の上面に、前記木製横架材の軸方向に延びる長尺なベース部材が設けられ、前記ベース部材の上面に前記デッキプレートの端部の谷部が支持されることを特徴とする、請求項１〜３のいずれか１項に記載した木造建物の床組構造。
【請求項５】
前記受け部材の上フランジ部は、前記木製横架材の短手方向に若干長く形成され、そのウエブ部と前記木製横架材との間に、面材を挟んだ状態で当該上フランジ部が木製横架材の上面に載ることを特徴とする、請求項１〜４のいずれか１項に記載した木造建物の床組構造。
【請求項６】
前記デッキプレートの上面にコンクリートが打設されて前記木製横架材と一体化されることを特徴とする、請求項１〜５のいずれか１項に記載した木造建物の床組構造。
【発明の詳細な説明】
【技術分野】
【０００１】
この発明は、木造軸組構法（在来工法）により構築される木造建物の床組構造（床構造）の技術分野に属する。
【背景技術】
【０００２】
近年、建設業界においては建設現場の職人不足が懸念され、構法（工法）の省力化、部材（製品）の軽量化が求められている。
例えば、木造軸組構法によって構築される木造建物では、経済的かつ合理的に構造物の強度・剛性を向上させることができ、取扱性にも優れたデッキプレートが注目され、近年、床構造の面内にデッキプレートを配設して床構造の面内剛性を効率的に向上させ得る床構造が開発されている（例えば、特許文献１の段落［００５７］以降、及び図１２等を参照）。
【０００３】
前記特許文献１には、例えば図１２に示したように、金属板（デッキプレート）５をアングル１１を介して木梁２５に支持させてなる構成で実施され、前記アングル１１を木梁２５の側面に取り付けて金属板５を梁下へ落とし込ませて接合することで、定尺の金属板５を使用でき、切欠き加工の手間を省略することを可能とした床構造が開示されている。
【０００４】
前記金属板５を梁下へ落とし込ませて接合する技術は、木造建物の技術分野ではないものの、特許文献２にも開示されている。この特許文献２には、波形床材（デッキプレート）１をＺ型断面形状をした受材３を介して鋼製床梁２に支持させてなる床下地の取付構造が開示されている。
【先行技術文献】
【特許文献】
【０００５】
【特許文献１】特開２００５−１５５３１２号公報
【特許文献２】実開平６−３５４３５号公報
【発明の概要】
【発明が解決しようとする課題】
【０００６】
前記特許文献１に係る床構造は、以下の問題があった。
＜１＞金属板５を支持するアングル材１１が、金属板５の幅寸法にあわせた長尺物となっているため、重量が大きく、運搬、施工作業時に重機が必要となり、現場敷地や周辺道路の制約を受け、施工条件が限られてしまう問題があった。
＜２＞アングル材１１を、木梁２５の側面に直接ボルト留め又はネジ留めして取り付けるため、大きな荷重を受けた場合、木梁２５にボルトやネジがめり込み、十分な強度が得られない可能性があった。施工時においても、アングル材１１は木梁２５の側面に不安定な状態で押さえつけながらボルトやネジで固定するため、アングル１１を水平に保つことが困難なために施工精度が安定しないという問題もあった。また、足場がわるい高所作業ではアングル１１が落下する危険性も懸念される。
【０００７】
前記特許文献２に係る床下地の取付構造は、木梁２５ではなく鋼製床梁２で実施すること、および前記アングル材１１に相当する受材３がＺ型断面形状をなし、その上フランジ部を鋼製床梁２の上面に安定した状態で掛け留める構造であるため、前記特許文献１の上記問題＜２＞は生じない。
しかし、前記受材３は、前記アングル材１１と同様に波形床材１の幅寸法にあわせた長尺物となっているため、前記特許文献１の上記問題＜１＞と同様の問題があることに加え、前記受材３の上フランジ部が鋼製床梁２の上面の全長にわたって延びる構造を呈するので、前記上フランジ部が、壁材を打ち付けるための間柱や主柱に干渉する問題があった。また、鋼製床梁２の上面に前記上フランジ部の板厚分の段差が生じるため、床の仕上げ材や壁材の納まりがわるく施工性に劣るという問題もあった。
【０００８】
本発明は、上述した背景技術の課題に鑑みて案出されたものであり、その目的とすると
ころは、デッキプレートを受け部材を介して木製横架材に支持させるにあたり、前記受け部材の構成に工夫を施すことにより、前記＜１＞、＜２＞の問題を解消し、施工性、経済性、および取扱性に優れた木造建物の床組構造を提供することにある。
【課題を解決するための手段】
【０００９】
上記の課題を解決するための手段として、請求項１に記載した発明に係る木造建物の床組構造は、山部と谷部とが傾斜部を介して交互に連なり略台形の波形断面に屈曲形成されたデッキプレートを、受け部材を介して木製横架材に支持させてなる木造建物の床組構造であって、
前記受け部材は、前記木製横架材の上面に載る上フランジ部と、同側面に沿って垂下するウエブ部と、前記デッキプレートの端部の谷部を支持する下フランジ部とで断面略Ｚ字状に形成され、前記木製横架材の軸方向に間隔をあけて複数設けられ前記デッキプレートを支持することを特徴とする。
【００１０】
請求項２に記載した発明は、請求項１に記載した木造建物の床組構造において、前記木製横架材は、その上面に前記受け部材の上フランジ部を位置決めするための切欠き凹部が形成されていることを特徴とする。
【００１１】
請求項３に記載した発明は、請求項１又は２に記載した木造建物の床組構造において、前記木製横架材は、その側面に前記受け部材のウエブ部を位置決めするための切欠き凹部が形成されていることを特徴とする。
【００１２】
請求項４に記載した発明は、請求項１〜３のいずれか１項に記載した木造建物の床組構造において、前記複数の受け部材の下フランジ部の上面に、前記木製横架材の軸方向に延びる長尺なベース部材が設けられ、前記ベース部材の上面に前記デッキプレートの端部の谷部が支持されることを特徴とする。
【００１３】
請求項５に記載した発明は、請求項１〜４のいずれか１項に記載した木造建物の床組構造において、前記受け部材の上フランジ部は、前記木製横架材の短手方向に若干長く形成され、そのウエブ部と前記木製横架材との間に、面材を挟んだ状態で当該上フランジ部が木製横架材の上面に載ることを特徴とする。
【００１４】
請求項６に記載した発明は、請求項１〜５のいずれか１項に記載した木造建物の床組構造において、前記デッキプレートの上面にコンクリートが打設されて前記木製横架材と一体化されることを特徴とする。
【発明の効果】
【００１５】
本発明に係る木造建物の床組構造によれば、以下の効果を奏する。
第１〜第６発明に係る木造建物の床組構造は、コンパクトな受け部材を複数点在させてデッキプレートを支持する構造なので、木製横架材の上面等に設置する柱や間柱を避けた配置に設けることができる等、柔軟な構造設計を実現できる。また、上記特許文献１に係るアングル材１１と比し、取扱性に優れ、運搬や施工時に作業員一人での作業が可能となる。さらに、重機を必要としないので、敷地や周辺道路の制約を受けないあらゆる立地での施工が可能となる。
第１〜第６発明に係る木造建物の床組構造は、受け部材（の上フランジ）を木製横架材の上面に掛け留める手法で取り付けるので、上記特許文献１に係るアングル１１と比し、受け部材の落下を極力防止できる。また、荷重を、横方向から挿入したビス等の点ではなく、鉛直方向からの面での伝達が可能となるので高い接合強度を発揮することができる。さらに、受け部材を木製横架材の上面に掛け留めるだけで自動的に位置決めできるので、デッキプレート設置時等の高さ調整が不要であり、側面に取り付けるよりも施工精度が安定する。
第１〜第６発明に係る木造建物の床組構造は、強度・剛性が高いデッキプレートを用いることにより、従来の小梁や根太、合板等で形成する床組と比して十分な剛性を保有するため、構造設計に応じて乾式（デッキプレート単体）、湿式（コンクリート打設）を使い分けることができる。
特に、第２発明に係る木造建物の床組構造は、前記木製横架材の上面に切欠き凹部を形成して実施すると、前記木製横架材に受け部材を取り付けても不陸を起こすことがなく、その後に取り付ける床材や壁材の良好な納まりを実現できる。また、前記受け部材の取り付け部位の作業上の目印になる他、取り付けた後は受け部材のずり動きを確実に防止できるので施工性がよい。
特に、第３発明に係る木造建物の床組構造は、前記木製横架材の側面に切欠き凹部を形成して実施すると、木製横架材とデッキプレートと隙間（受け部材の板厚分）が埋まり（詰めることができ）、コンクリート打設時のコンクリートの漏れや、上階からの音漏れを防ぐことができる。
特に、第４発明に係る木造建物の床組構造は、実施例２のように、長尺物のベース部材を前記下フランジ部と前記デッキプレートとの間に介在されているので、前記デッキプレートを前記受け部材の取り付け位置にかかわらず設置でき、柔軟な構造設計が可能となる。
特に第５発明に係る木造建物の床組構造は、受け部材の上フランジ部が木製横架材の短手方向に若干長く形成されているので、受け部材のウエブ部と木製横架材に隙間が形成され、耐火設計では木製横架材の両側面と下面を耐火材で保護できる。また、床組と木製横架材の接触面が減ることで、隣接する部屋への床上衝撃音の伝達を低減し、さらに吸音板の挿入や界壁を梁上面まで伸ばすことで、より遮音性が向上する。この時、挿入した面材が隙間を埋めるため、コンクリート打設時に漏れが防止される利点もある。
また、前記ベース部材により、前記デッキプレートや打設コンクリートに対する支持耐力を高めることができる。さらに、コンクリートを打設する場合は、コンクリート漏れを未然に防止することができる。
まとめると、本発明に係る木造建物の床組構造は、施工性、経済性、および取扱性に優れた木造建物の床組構造を実現することができる。
【図面の簡単な説明】
【００１６】
【図１】本発明（実施例１）に係る木造建物の床組構造の実施例を示した斜視図である。
【図２】図１の要部を示した断面図である。
【図３】本発明に係る木造建物の床組構造の施工段階を示した説明図である。
【図４】本発明に係る木造建物の床組構造の要部を抽出して示した斜視図である。
【図５】図１に示した木造建物の床組構造にコンクリートを打設した状態を示した説明図である。
【図６】図５の要部を示した断面図である。
【図７】本発明に係る木造建物の床組構造の異なる実施例を示した断面図である。
【図８】本発明（実施例２）に係る木造建物の床組構造の実施例を示した斜視図である。
【図９】図８の要部を示した断面図である。
【図１０】本発明に係る木造建物の床組構造の施工段階を示した説明図である。
【図１１】本発明に係る木造建物の床組構造の要部を抽出して示した斜視図である。
【図１２】図８に示した木造建物の床組構造にコンクリートを打設した状態を示した説明図である。
【図１３】図１２の要部を示した断面図である。
【図１４】本発明に係る木造建物の床組構造の異なる実施例を示した断面図である。
【図１５】本発明（実施例３）に係る木造建物の床組構造の実施例を示した断面図である。
【図１６】本発明に係る木造建物の床組構造の異なる実施例を示した断面図である。
【図１７】本発明に係る木造建物の床組構造の異なる実施例を示した断面図である。
【図１８】本発明に係る木造建物の床組構造の異なる実施例を示した断面図である。
【発明を実施するための形態】
【００１７】
次に、本発明に係る木造建物の床組構造の実施例を図面に基づいて説明する。
【実施例１】
【００１８】
本発明に係る木造建物の床組構造は、図１、図２に示したように、山部２１と谷部２２とが傾斜部２３を介して交互に連なり略台形の波形断面に屈曲形成されたデッキプレート２を、受け部材１を介して木製横架材３に支持させてなる木造建物の床組構造であり、前記受け部材１は、前記木製横架材３の上面に載る上フランジ部１１と、同側面に沿って垂下するウエブ部１２と、前記デッキプレート２の端部の谷部２２を支持する下フランジ部１３とで断面略Ｚ字状に形成され、前記木製横架材３の軸方向に間隔をあけて複数設けられ前記デッキプレート２を支持する構造である。
【００１９】
前記木製横架材３は、木造軸組構法に用いる木製横架材３であり、大梁、小梁、又は胴差し等を指す。本実施例は木製大梁３とされ、断面サイズは一例として縦寸３６０ｍｍ程度、横寸１２０ｍｍ程度の構造用集成材で実施されている。勿論、前記木製横架材３の断面サイズはこれに限定されない。
また、本実施例に係る前記木製横架材３は、図２に示したように、その上面と側面に、前記受け部材１の上フランジ部１１とウエブ部１２を位置決めするための切欠き凹部３ａ、３ｂを連続させた断面略逆Ｌ字状の切欠き凹部が形成されている。
前記切欠き凹部３ａ、３ｂの形状は、平板状に形成された上フランジ部１１、ウエブ部１２と同等寸法に切り欠いて形成されている。言い換えると、上フランジ部１１、ウエブ部１２を受け入れた状態で木製横架材３の外周面と面一となるように形成されている。
【００２０】
前記デッキプレート２は、山部２１と谷部２２とが傾斜部２３を介して交互に連なり略台形の波形断面をなす鋼板で形成され、さらに谷部２２に鍵溝を、傾斜部２３に段部を備えた合成スラブ用デッキプレート２と称されるデッキプレートが採用されている。
このデッキプレート２の寸法は、一例として、幅が６００ｍｍ程度（２山タイプ）、高さ（山高）が５０ｍｍ程度、山部と谷部のトップ（平面部）の幅寸が１１５〜１２５ｍｍ程度、板厚が１．０〜１．６ｍｍ程度、全長（スパン長）が１．８〜３．６ｍ程度である。図１は、幅方向に２体のデッキプレート２を連結した状態を示している。
【００２１】
なお、前記デッキプレート２の形態（形状、寸法）は勿論この限りではなく、設置面積、支持梁の設置間隔、構造上必要な強度等の構造設計に応じて適宜設計変更される。
例えば、幅が３００ｍｍ程度の１山タイプの幅調整用のデッキプレート２を併用することは適宜行われるところである。その他、コンクリートを打設しない（乾式の）場合は前記鍵溝や段部がないタイプの通常のデッキプレートを採用することもできる。
ちなみに前記デッキプレート２は、その端部の谷部２２における前記受け部材１の下フランジ１３との接合部位に貫通孔２２ａ（図２参照）が穿設されている。
【００２２】
前記受け部材１は、金属製（鋼製）であり、前記上フランジ部１１、前記ウエブ部１２、及び前記下フランジ部１３とで断面略Ｚ字状に形成されている。
前記上フランジ部１１は、前記木製横架材３へ取り付けるために用いるビス６、ボルト、ドリフトピン等の固定具６を挿通させるための貫通孔１１ａが形成されている。図示例に係る貫通孔１１ａは、バランスよく６個穿設されているが構造設計に応じて適宜設計変更可能である。また、前記ビス６は、一例として、上フランジ部１１と木製横架材３を固定しているが、例えば、ウエブ部１２に貫通孔を形成して固定するなど、受け部材１と木製横架材３がずれないように固定されていればよく、固定具はビス６に限らないし、また固定位置に関わらず、どのように固定されてもよい。
前記下フランジ部１３は、前記デッキプレート２へ取り付けるために用いるボルト７等の固定具７を挿通させるための貫通孔１３ａが形成されている（図３参照）。図示例に係る貫通孔１３ａは、バランスよく左右に２個穿設されているが構造設計に応じて適宜設計変更可能である。もっとも、前記下フランジ部１３と前記デッキプレート２とを溶接手段で一体化させる場合は前記貫通孔１３ａは不要である。
前記受け部材１の寸法は、一例として、断面方向にみて（図２参照）、上フランジ部１１の幅寸が５７ｍｍ程度、ウエブ部１２の高さ寸法（全高）が１２７ｍｍ程度、下フランジ部１３の幅寸が６４ｍｍ程度、板厚が６ｍｍ程度で、奥行き寸法（横幅）Ｂ（図４参照）が１１０ｍｍ程度で実施されている。
【００２３】
なお、前記受け部材１の形態（形状、寸法）は勿論この限りではなく、前記デッキプレート２、木製横架材３の形態等を勘案した構造設計に応じて適宜設計変更される。
例えば、床板を前記木製横架材３の上面に設置する構造設計とした場合、図７に示したように、前記ウエブ部１２の高さ寸法を短くした受け部材１を用いてデッキプレート２の上面レベルを前記木製横架材３の上面レベルと略同一とし、その上に床部材（床板等）９を設置可能な構造とすることは適宜行われるところである。
その他、前記受け部材１は、２本のアングル材を組み合わせて（例えば、背面同士を溶接接合して）断面略Ｚ字状に形成したものでも同様に実施できる。
【００２４】
次に、上記構成の木製横架材３、デッキプレート２、及び受け部材１からなる木造建物の床組構造を実現するための手法（作業手順）について説明する。なお、以下に説明する手法はあくまでも一例に過ぎないことを念のため特記しておく。
先ず準備段階として、前記木製横架材（木製大梁）３を木造軸組構法により、対向する平行な配置に例えば３ｍ程度の間隔をあけて２本架設する（図５を援用して参照）。この段階で、対向する木製横架材３、３に形成した切欠き凹部３ａ、３ｂ同士は、相対峙する配置に位置決めされる。
次に、図３に示したように、複数（図示例では４つ）の受け部材１をそれぞれ、その上フランジ部１１を前記木製横架材３の上面（の切欠き凹部３ａ）に載置すると共に、ウエブ部１２を前記木製横架材３の側面（の切欠き凹部３ｂ）に当接させ、もって前記受け部材１を前記木製横架材３に位置決めする。しかる後、前記上フランジ部１１の前記貫通孔１１ａにビス６を通して前記受け部材１を前記木製横架材３に定着させる。
対向する平行な配置に設けた一方の木製横架材３にも同様に受け部材１の取り付け作業を繰り返し行い、前記受け部材１、１同士を相対峙させる（図５を援用して参照）。
【００２５】
次に、前記デッキプレート２を所定の高さ吊り上げ、前記受け部材１、１の間に落とし込みつつ位置決めして架設する作業を行う。
具体的には、前記木製横架材３で囲われた面内に隙間なく前記デッキプレート２を敷設するべく、前記デッキプレート２の長手方向の両端部の谷部２２を前記受け部材１の対応する下フランジ部１３の上面に載置し、前記谷部２２の前記貫通孔２２ａと下フランジ部１３の前記貫通孔１３ａとの芯を一致させ、ボルト７を通してナット８で締結する作業を受け部材１の数に応じて繰り返し行い、もって、デッキプレート２を、受け部材１を介して木製横架材３に支持させてなる床組構造を実現する。
しかる後、構造設計に応じて、図５、図６に示したように、前記床組構造の木製横架材３、３間（梁間）に架設したデッキプレート（合成スラブ用デッキプレート）２を型枠としてコンクリート５を打設し、コンクリート５硬化後はデッキプレート２がコンクリート５と一体となって作用荷重を負担する床スラブ構造として実施してもよいし、図示は省略するが、木製横架材３の上面とデッキプレート２の山部２１の上面との差分の高さを有する床仕上げ材（フローリング、畳、タイル等）を敷設した床スラブ構造として実施してもよい。
【００２６】
上記構成の木造建物の床組構造によれば、以下の効果を奏する。
（１）１個あたりの全高が１２７ｍｍ程度、横幅Ｂが１１０ｍｍ程度のコンパクトな受け部材１を複数点在させてデッキプレート２を支持する構造なので、木製横架材３の上面等に設置する柱や間柱を避けた配置に設けることができる等、柔軟な構造設計を実現できる。また、上記特許文献１に係るアングル材１１と比し、取扱性に優れ、運搬や施工時に作業員一人での作業が可能となる。さらに、重機を必要としないので、敷地や周辺道路の制約を受けないあらゆる立地での施工が可能となる。
（２）受け部材１（の上フランジ１１）を木製横架材３の上面に掛け留める手法で取り付けるので、上記特許文献１に係るアングル１１と比し、受け部材１の落下を極力防止できる。また、荷重を、横方向から挿入したビス等の点ではなく、鉛直方向からの面での伝達が可能となるので高い接合強度を発揮することができる。さらに、受け部材１を木製横架材３の上面に掛け留めるだけで自動的に位置決めできるので、デッキプレート２設置時等の高さ調整が不要であり、側面に取り付けるよりも施工精度が安定する。
（３）強度・剛性が高いデッキプレート２を用いることにより、従来の小梁や根太、合板等で形成する床組と比して十分な剛性を保有するため、構造設計に応じて乾式（デッキプレート２単体）、湿式（コンクリート５打設）を使い分けることができる。
（４）本実施例では、前記木製横架材３の上面に切欠き凹部３ａを形成して実施しているので、前記木製横架材３に受け部材１を取り付けても不陸を起こすことがなく、その後に取り付ける床材や壁材の良好な納まりを実現できる。また、前記受け部材１の取り付け部位の作業上の目印になる他、取り付けた後は受け部材１のずり動きを確実に防止できるので施工性がよい。
（５）本実施例では、前記木製横架材３の側面に切欠き凹部３ｂを形成して実施しているので、木製横架材３とデッキプレート２と隙間（受け部材３の板厚分）が埋まり（詰めることができ）、コンクリート打設時のコンクリートの漏れや、上階からの音漏れを防ぐことができる。
【実施例２】
【００２７】
図８、図９は、実施例２に係る木造建物の床組構造を示している。
この実施例２に係る木造建物の床組構造は、上記実施例１と比し、前記デッキプレート２と前記受け部材１の下フランジ部１３との間にベース部材４を介在させている点が相違する。その他の構成は上記実施例１と同様なので同一の符号を付してその説明を適宜省略する。
【００２８】
前記ベース部材４は、前記木製横架材３の軸方向に延びる細長い長尺物であり、本実施例では一例として、板厚が６ｍｍ程度、幅が５０ｍｍ程度で、軸方向長さは使用するデッキプレート２の幅寸（面内の幅寸）と同等寸法で実施されている。
【００２９】
前記ベース部材４は、図１０に示したように、前記木製横架材３に取り付けた複数（図示例では４つ）の受け部材１の下フランジ１３の上面に載置する。本実施例に係るベース部材４は予め、前記下フランジ１３の前記貫通孔１３ａと芯が一致する位置に貫通孔４ａが穿設されており（図６参照）、前記貫通孔１３ａ、４ａ同士の位置（芯）合わせを行った後、さらに前記デッキプレート２を吊り支持した状態で、その端部の谷部２２の貫通孔２２ａの位置（芯）合わせを行う。かくして芯が一致した前記貫通孔１３ａ、４ａ、２２ａにボルト７を通しナット８を締結することにより、前記下フランジ部１３（受け部材１）、ベース部材４、及び谷部２２（デッキプレート２）の３部材を一体化させる（図１１参照）。
なお、前記ベース部材４と前記デッキプレート２とを溶接手段で一体化させる場合は前記貫通孔４ａは不要である。
前記受け部材１を前記木製横架材３に取り付ける手法、前記デッキプレート２を前記下フランジ部１３へ位置決めする手法は、前記段落［００２４］、[００２５]を参照されたい。
【００３０】
しかる後、構造設計に応じて、図１２、図１３に示したように、前記床組構造の木製横架材３、３間（梁間）に架設したデッキプレート（合成スラブ用デッキプレート）２を型枠としてコンクリート５を打設し、コンクリート５硬化後はデッキプレート２がコンクリート５と一体となって作用荷重を負担する床スラブ構造として実施してもよいし、図示は省略するが、木製横架材３の上面とデッキプレート２の山部２１の上面との差分の高さを有する床仕上げ材（フローリング、畳、タイル等）を敷設した床スラブ構造として実施してもよい。また、図１３に示すように、コンクリート５を打設する場合は、デッキプレート２の端部と木製横架材３との間を養生したり、受け部材１の下フランジ部１３とベース部材４を隙間なく配置して固定すれば、よりコンクリート５の漏れを防止することができ、望ましい。
その他、図１４に示したように、前記ウエブ部１２の高さ寸法を短くした受け部材１を用いてデッキプレート２の上面レベルを前記木製横架材３の上面レベルと略同一とし、その上に床部材（床板等）９を設置可能な構造で実施してもよい。  
【００３１】
この実施例２に係る木造建物の床組構造は、上記実施例１と同様に、前記受け部材１、前記デッキプレート２、及び木製横架材３からなる構造に変わりはない。よって、前記段落［００２６］の（１）〜（５）に記載した上記実施例１と同様の作用効果を奏する。
加えて、実施例２に係る木造建物の床組構造は、長尺物のベース部材４を、前記下フランジ部１３と前記デッキプレート２との間に介在させるので、下記する効果を奏する。
（６）前記デッキプレート２を、前記受け部材１の取り付け位置にかかわらず設置できるので、柔軟な構造設計が可能となる。
（７）前記デッキプレート２や打設コンクリート５に対する支持耐力を高めることができる。また、コンクリート５を打設する場合は、コンクリート漏れを未然に防止することができる。
【実施例３】
【００３２】
図１５〜図１８は、実施例３に係る木造建物の床組構造を示している。
この実施例３に係る木造建物の床組構造は、上記実施例１、２と比し、受け部材１のウエブ部１２と前記木製横架材３との間に面材１０を介在させた構成で実施している点が相違する。その他の構成は上記実施例１、２と同様なので同一の符号を付してその説明を適宜省略する。
具体的に、前記受け部材１の上フランジ部１１は、前記木製横架材３の短手方向に若干長く形成され、そのウエブ部１２と前記木製横架材３（の側面）との間に、面材１０を挟んだ状態で当該上フランジ部１１が木製横架材３の上面に載る構成で実施されている。
ちなみに、図１５は、実施例１に係る図６の構成に前記面材１０を介在させた場合の実施例であり、図１６は、同図７の構成に前記面材１０を介在させた場合の実施例であり、図１７は、上記実施例２に係る図１３の構成に前記面材１０を介在させた場合の実施例であり、図１８は、同図１４の構成に前記面材１０を介在させた場合の実施例である。もっとも、実施例１、２では前記木製横架材３の側面に切欠き凹部３ｂを形成しているが、実施例３では前記面材１０の納まりを考慮し、前記切欠き凹部３ｂを形成していない（例えば、図６と図１５とを対比して参照）。
【００３３】
前記面材１０は、耐火や吸音目的のために介在させるものであり、本実施例では、２枚で実施しているが構造設計に応じて適宜増減可能である。図示例のように、前記面材１０を挟んだ状態で前記受け部材１の上フランジ部１１が木製横架材３の上面に載せられて、耐火設計では木製横架材３の側面と下面を耐火材の面材１０で保護することができる。また、床組と木製横架材３の接触面が減ることで、隣接する部屋への床上衝撃音の伝達を低減することができる。さらに吸音板の面材１０の挿入や界壁を梁上面まで伸ばすことで遮音性を一層向上させることができる。
なお、前記上フランジ部１１の貫通孔１１ａを前記木製横架材３の短手方向（図１５〜図１８の横方向）に長いルーズ孔に形成することにより（図示略）、面材１０を介在させない場合でも実施可能とするような工夫は適宜行われるところである。
【００３４】
以上、実施例を図面に基づいて説明したが、本発明は図示例の限りではなく、その技術的思想を逸脱しない範囲において、当業者が通常に行う設計変更、応用のバリエーションの範囲を含むことを念のために申し添える。
【符号の説明】
【００３５】
１      受け部材
１１    上フランジ部
１１ａ  貫通孔
１２    ウエブ部
１３    下フランジ部
１３ａ  貫通孔
２      デッキプレート（合成スラブ用デッキプレート）
２１    山部
２２    谷部
２２ａ  貫通孔
２３    傾斜部
３      木製横架材（木製大梁）
３ａ    切欠き凹部
３ｂ    切欠き凹部
４      ベース部材
４ａ    貫通孔
５      コンクリート
６      固定具（ビス）
７      固定具（ボルト）
８      ナット
９      床部材
１０      面材
Ｂ      受け部材の横幅
【図１】
2020165293.tif 000003
【図２】
2020165293.tif 000004
【図３】
2020165293.tif 000005
【図４】
2020165293.tif 000006
【図５】
2020165293.tif 000007
【図６】
2020165293.tif 000008
【図７】
2020165293.tif 000009
【図８】
2020165293.tif 000010
【図９】
2020165293.tif 000011
【図１０】
2020165293.tif 000012
【図１１】
2020165293.tif 000013
【図１２】
2020165293.tif 000014
【図１３】
2020165293.tif 000015
【図１４】
2020165293.tif 000016
【図１５】
2020165293.tif 000017
【図１６】
2020165293.tif 000018
【図１７】
2020165293.tif 000019
【図１８】
2020165293.tif 000020